(57)【要約】【課題】従来の駐車車両抑止装置は、撮影部の撮影範囲が駐車禁止エリアの流入部と流出部であり、流入部での撮影時刻と流出部での撮影時刻の差分から駐車違反車両の判定を行っていた。また、流入部側と流出部側にそれぞれ制御部が必要であった。【解決手段】車両が駐車禁止エリアに駐車したかどうかを，駐車禁止エリア全体に画像処理を常時行い判定すると共に駐車車両に対して自動警告する。ドライバーを含む車両画像とナンバー読取結果を蓄積し、一定時間経過後に未だ駐車している駐車違反車両の場合、車両画像とナンバー読取結果を上記駐車開始時点と合わせて中央装置に伝送することにより，駐車車両検出の精度向上と取締りに必要な情報収集を自動的に行うことを可能とする。【選択図】                図１
2004288113.tif 000002
【特許請求の範囲】
【請求項１】
駐車禁止エリアの進入車両を監視し、この進入車両のナンバーブレートの情報および位置情報を読取り、所定の時間以上に渡り、上記進入車両が駐車している場合に上記進入車両に自動警告し、警告後も移動しない場合に上記進入車両の駐車開始時点および警告後の所定時間の経過後に上記ナンバープレート情報および上記進入車両の撮影画像を中央装置に伝送する駐車車両抑止装置において、
上記駐車禁止エリアの車両が進行する下流側に設置され，上記駐車禁止エリアに進入する上記進入車両およびドライバーの画像を所定の時間間隔で撮影する撮影部と，
上記撮影部で撮影された画像に対して、上記進入車両のナンバープレートを検出し、このナンバープレート内の文字を読取り、上記ナンバープレートの検出位置と撮影画像を出力するナンバープレート読取部と、
第一の所定の時間が経過しても上記ナンバープレート読取部の出力が、既定の値以上に変化しない場合に駐車車両と判定する駐車車両判定部と、
この駐車車両と判定された場合に、上記ナンバープレート読取部から出力された上記撮影画像とその撮影時刻と上記ナンバープレート検出位置と上記ナンバープレート読取結果を蓄積する駐車画像記憶部と、
第二の所定の時間が経過しても上記ナンバープレート読取結果とナンバープレート検出位置が略同一である場合に、駐車違反車両と判定する駐車違反判定部と、
この駐車違反と判定された場合に、駐車違反判定後の撮影画像とその撮影時刻と駐車違反判定後のナンバープレート検出位置と駐車違反判定後のナンバープレート読取結果を蓄積する駐車違反時画像記憶部と、
上記駐車車両判定部において駐車車両と判定された場合に、上記ナンバープレート読取結果を音声にする増幅部と、
この増幅された音声で上記進入車両のドライバーに警告する拡声部と、
上記駐車違反判定部で駐車違反車両と判定された場合に、上記駐車画像記憶部と上記駐車違反画像記憶部の対応するデータを通信回線などを用いてセンタにそれぞれ伝送する伝送部と、
この伝送部からの伝送データを通信回線経由で受信し、この伝送データを蓄積するデータ蓄積部と、
このデータ蓄積部から上記ナンバープレート読取結果及び時刻をキーにして必要な情報を検索し出力する違反車両検索部と、
を具備したことを特徴とする駐車車両抑止装置。
【請求項２】
上記撮影部の下流側に設置された第２の撮影部と、
この第２の撮影部に接続され、時分割で上記撮影部と上記第２の撮影部との切替を行う第１の映像切替部と、
を具備したことを特徴とする請求項１記載の駐車車両抑止装置。
【請求項３】
上記撮影部と略同一地点に設置され、車両の後方側を撮影できるように上記撮影部と反対向きに設置された第３の撮像部と、
上記第２の撮影部と略同一地点に設置され、車両の後方側を撮影できるように上記第２の撮影部と反対向きに設置された第４の撮像部と、
上記撮影部と上記第２の撮影部と上記第３の撮影部と上記第４の撮影部からの画像を時分割で切替る第２の映像切替部と、
を具備したことを特徴とする請求項１または２に記載の駐車車両抑止装置。
【請求項４】
上記第１乃至第４の撮像部が既定の複数のエリアを繰り返して撮影するために上記第１上記４の撮影部を既定の画角となるよう可変するとともに、ズームフォーカスを既定値にセットするための第１から第４の駆動部を具備したことを特徴とする請求項１乃至３のいずれか１項に記載の駐車車両抑止装置。
【請求項５】
上記進入車両の進入時から所定時間駐車後の状況を動画像で撮影する動画撮影部と、
この撮影画像を伝送する動画伝送部と、
この伝送された上記撮影画像を蓄積する動画蓄積部と、
を具備したことを特徴とする請求項１乃至４のいずれか１項に記載の駐車車両抑止装置。
【発明の詳細な説明】
【０００１】
【発明の属する技術分野】
この発明は，駐車禁止エリアにおいて、違法に駐車する車両を自動的に検出しナンバー情報及びドライバーを含めた車両画像を中央装置に伝送することにより，違法駐車車両を無人で取締まる駐車車両抑止装置に関するものである。
【０００２】
【従来の技術】
従来の駐車車両抑止装置は、撮影部の撮影範囲が駐車禁止エリアの流入部と流出部であり、流入部での撮影時刻と流出部での撮影時刻の差分から駐車違反車両の判定を行っていた。さらに、流入部側と流出部側にそれぞれ制御部が必要であった（例えば、特許文献１参照）。また、駐車禁止エリアに進入した車両を駐車違反車両と判定する為の情報として、ナンバープレート上の文字情報のみを用いていた（例えば、特許文献２、特許文献３参照）。
【０００３】
【特許文献１】
特開２００２―１９７５８９号公報（第３頁、第１図）
【特許文献２】
特開平３―２９１００号公報（第４頁、第１図）
【特許文献３】
特開平３―２９０９９号公報（第５頁、第１図）
【０００４】
【発明が解決しようとする課題】
上記のように，撮影部の撮影範囲が駐車禁止エリアの流入部と流出部に限定されているため、撮影タイミングが車両の流入時および流出時に限定され、ナンバープレートを画像処理で正確に読みとることが困難であるという課題があった。また、流入部での撮影時刻と流出部での撮影時刻の差分から駐車違反車両の判定を行っている為に流出部で車両が撮影されなければ駐車車両あるいは違法駐車車両として判定することができないという課題があった。さらに、流入部側と流出部側それぞれに制御部が必要であった。また、駐車違反車両の検出処理をナンバープレート上の文字情報のみで行っている為、一度文字コードへの変換に誤りが発生すると駐車違反車両を検出できない可能性があるという課題があった。
【０００５】
この発明は，上記の様な課題を解決するためになされたものであり、駐車禁止エリア全体を監視しナンバープレートを検出する撮影部と撮影部から出力されるデータを処理し駐車違反車両を判定する制御部と制御部から出力されるデータを蓄積し必要な時にデータ検索する中央装置からなる機器構成で、ナンバープレートの画像処理を常時実施することにより検出の精度を向上すると共に予め設定した時間が経過した時点で駐車車両あるいは駐車違反車両を自動的に判定することが可能な駐車抑止装置を提供することを目的としている。
【０００６】
【課題を解決するための手段】
第１の発明による駐車車両抑止装置は，上記駐車禁止エリアの車両が進行する下流側に設置され，上記駐車禁止エリアに進入する上記進入車両およびドライバーの画像を所定の時間間隔で撮影する撮影部と，上記撮影部で撮影された画像に対して、上記進入車両のナンバープレートを検出し、このナンバープレート内の文字を読取り、上記ナンバープレートの検出位置と撮影画像を出力するナンバープレート読取部と、所定の時間が経過しても上記ナンバープレート読取部の出力が、既定の値以上に変化しない場合に駐車車両と判定する駐車車両判定部と、この駐車車両と判定された場合に、上記ナンバープレート読取部から出力された上記撮影画像とその撮影時刻と上記ナンバープレート検出位置と上記ナンバープレート読取結果を蓄積する駐車画像記憶部と、所定の時間経過しても上記ナンバープレート読取結果とナンバープレート検出位置が略同一である場合に、駐車違反車両と判定する駐車違反判定部と、この駐車違反と判定された場合に、上記撮影画像とその撮影時刻と上記ナンバープレート検出位置と上記ナンバープレート読取結果を蓄積する駐車違反時画像記憶部と、上記駐車違反判定部において駐車違反と判定された場合に、上記ナンバープレート読取結果を音声にする増幅部と、この増幅された音声で上記進入車両のドライバーに警告する拡声部と、上記駐車違反判定部で駐車違反車両と判定された場合に、上記駐車画像記憶部と上記駐車違反画像記憶部の対応するデータを通信回線などを用いてセンタにそれぞれ伝送する伝送部と、この伝送部からの伝送データを通信回線経由で受信し、この伝送データを蓄積するデータ蓄積部と、
このデータ蓄積部から上記ナンバープレート読取結果及び時刻をキーにして必要な情報を検索し出力する違反車両検索部を備える。
【０００７】
【発明の実施の形態】
実施の形態１．
図１はこの発明の実施の形態１を示す概念図であり、図２は実施の形態１の具体的な実施例を示すブロック図である。
図１において、１は道路，２は駐車禁止エリア、３は道路１上を走行する車両、４は車両３に取り付けられているナンバープレート，５は車両の走行方向を表わす矢印，１４は駐車車両に警告音を発する拡声部、１７は道路１上に設置され車両３を撮影する撮影部，１８は撮影部１７の第１の撮影エリア、２５は制御機、２６は通信回線、２９は中央装置、５３は下流側を表す矢印、５４は上流側を表す矢印を示す。
【０００８】
また、図２において、１９は撮影部１７に接続され、ナンバープレート内の文字を全て読み取りナンバープレート読取結果をコード出力するとともにナンバープレート検出位置を出力するナンバープレート読取部、２０は所定の時間ナンバープレートを読取った結果ナンバープレート検出位置の変動が所定の範囲内の場合に駐車車両と判定する駐車車両判定部、２１はナンバープレート読取部からの駐車車両画像とナンバープレート検出時刻と検出位置およびナンバープレート読取内容を記憶する駐車画像記憶部、２２は所定時間経過後もナンバープレート読取結果が同じでかつ検出位置の変動が所定の範囲内の場合に駐車違反車両と判定する駐車違反判定部、２３は駐車違反判定部２２で駐車違反と判定された場合のナンバープレート読取部１９からの画像とナンバープレート検出時刻とナンバープレート読取結果およびナンバープレート検出位置を記憶する駐車違反画像記憶部、１３は駐車違反車両が検出された場合に検出した車両ナンバーを音声合成および増幅して拡声部１４に出力する増幅部、２４は駐車違反車両が検出された場合に駐車画像記憶部２１のデータと駐車違反画像記憶部２３のデータを通信回線２６で伝送する伝送部、２７は伝送部２４からのデータを蓄積するデータ蓄積部、２８はデータ蓄積部２７のデータを検索しプリンタなどへ出力するためのデータ検索出力装置を示す。
【０００９】
また、図３において、Ｓ００１は整数ｎを０とする処理、Ｓ００２は車両画像を撮影する処理、Ｓ００３はナンバープレートを検出する処理、Ｓ００４はナンバープレート内の文字を抽出する処理、Ｓ００５は文字をコード化する処理、Ｓ００６は上記Ｓ００２、Ｓ００３、Ｓ００４、Ｓ００５の処理結果を取込む処理、Ｓ００７は前回のナンバープレート位置と今回のナンバープレート位置とを比較する処理、Ｓ００８は上記Ｓ００７の結果が同じである場合に整数ｎに１を加える処理、Ｓ００９は整数ｎの値が１００／Ｔ未満か否かを判定する処理（撮影周期をＴとする。時間が１００秒に達していないか否かを判定する処理）、Ｓ０１０は整数ｎが１００／Ｔに等しいか否かを判定する処理（時間が１００秒に達したかを判定する処理）、Ｓ０１１は整数ｎが１８００／Ｔに等しいか否かを判定する処理（時間が３０分に達したか否を判定する処理）、Ｓ０１２は上記駐車画像記憶部２１にデータを記憶する処理、Ｓ０１３は駐車車両に対して警告する処理、Ｓ０１４は上記駐車違反画像記憶部２３にデータを記憶する処理、Ｓ０１５は駐車違反車両のデータを上記中央装置２９へ出力する処理を示す。
【００１０】
次に動作について説明する。撮影部１７の撮影周期をＴとする。Ｓ００１の処理を実行し、撮影回数を示す整数ｎを０とする。撮影部１７は周期Ｔ毎に駐車禁止エリアに進入した車両画像をナンバープレート読取部１９に出力する。撮影周期Ｔと撮影車両が駐車車両であるか否かを識別する時間および駐車車両が駐車違反車両であるか否かを識別する時間は運用条件に応じて任意に設定する。ここでは駐車車両であるか否かを識別する時間を１００秒、駐車違反車両であるか否かを識別する時間を３０分とする。ナンバープレート読取部１９では、周期Ｔで車両画像を取込みＳ００２、Ｓ００３、Ｓ００４、Ｓ００５の処理を実行し、駐車車両判定部２０に対してナンバープレート読取結果をコード出力するとともにナンバープレート検出位置を出力する。駐車車両判定部２０ではＳ００７の処理を実行し、１回前の処理結果と今回の処理結果が同じであれば撮影車両は駐車を継続していると判断してＳ００８に進み、違う場合は撮影車両は移動したものと判断しＳ００１に戻る。Ｓ００８では整数ｎに１を加え次ステップのＳ００９で、ｎの値が１００／Ｔ未満であるか否かを比較する。ｎが１００／Ｔ未満ならば未だ駐車時間が１００秒に達していないので駐車車両と判定せずにＳ００２に戻る。ｎが１００／Ｔに等しい場合はＳ０１０で撮影車両が駐車車両であると判断しＳ０１２へ進む。Ｓ０１２では、駐車画像記憶部２１に撮影画像とその撮影時刻およびナンバープレート検出位置とナンバープレート読取結果を記憶する。次にＳ０１３で駐車車両に対し音声で「品川１１あ４２４９の車両はすぐに移動してください。ここは駐車禁止エリアです。」のように警告して車両を移動するよう促し、処理Ｓ００２に移る。駐車違反判定部２２は上記のように一度警告を受けたにも関わらず未だ移動しない駐車車両を駐車違反車両と判断する。Ｓ０１１において駐車時間が３０分に達した場合（ｎが１８００／Ｔに等しい場合）、駐車違反車両と判断する。Ｓ０１５で、ナンバープレート内の文字読取結果、ナンバープレート検出位置、ナンバー検出に使用したナンバープレート及びドライバーを含む車両の全体画像をディジタルデータ化した撮影画像及びナンバーを検出して画像撮影を行った撮影時刻を関係付け、上記３０分前の車両駐車時に検出し駐車画像記憶部２１に記憶したナンバープレート内文字読取結果、ナンバープレート検出位置、撮影画像、撮影時間とをセットにして、伝送部２４に送出する。伝送部２４は、交通管制センターなどの中央装置２９と接続された通信回線２６を介し中央装置２９内のデータ蓄積部２７へデータを伝送し、データ蓄積部では、上記データをセットでデータベース化して蓄積する。データ検索出力部２８は、上記データ蓄積部のデータを車両ナンバーや時刻をキーにして検索し、プリンタ等に画像とともに出力することができる。
【００１１】
このように，駐車禁止エリア全体を常時監視することにより駐車車両の画像処理を常時実施することができ、ナンバープレートの画像処理検出の精度を向上できると共に予め設定した時間が経過した時点で駐車車両を確実かつ自動的に判定することが可能となる。さらに駐車車両、あるいは駐車違反車両の検出処理に用いる情報として、ナンバープレートの読取結果だけでなくナンバープレート検出位置を用いることにより確実に駐車車両、あるいは駐車違反車両を検出することが可能となる。また、駐車禁止エリアに停止した車両のナンバー情報から自動音声警告を行い、それでも移動しない駐車違反車両に対しては、ナンバー、ドライバーを含む車両の駐車開始時および一定時間経過時の車両の位置および撮影画像を収集することにより，駐車禁止エリアに駐車していた車両情報を自動的に蓄積し、車両の駐車を正確に判定し、ナンバープレート情報および収集出力した撮影画像から車両を正確に特定することが可能となる。
【００１２】
実施の形態２．
図４はこの発明の実施の形態２を示す概念図であり、図５は実施の形態２の具体例を示すブロック図である。図において、１〜５および１７〜２９は実施の形態１の図１、図２と同一のものであるので説明は省略する。
【００１３】
３０は、撮影部１７の下流側に例えば撮影部１７の撮影エリア１８だけ離れた位置に設置された撮影部１７と同様の動作をする第２の撮影部、３１はその第２の撮影部３０の撮影エリア、３２は撮影部１７と撮影部３０からの映像信号を一定周期で切り替えて時分割でナンバープレート読取部にデータを送信する切替部、３３は切替部３２に対してどちらの映像を出力するかを指定する機能を有するナンバープレート読取部１９と同様の機能を有する第２のナンバープレート読取部を示す。
【００１４】
ナンバープレート読取部３３は、撮影部１７および第２の撮影部３０のどちらの映像信号を受信するかを一定周期で切替ながら、ナンバープレートの検出、読取動作を行い、出力結果に撮影部番号を付すことにより、後段での処理がどちらの撮影部でなされたものかを判別できるようにしたものである。
【００１５】
これにより、第２の撮影部３０と切替部３２およびナンバープレート読取部３３の付加により容易に駐車エリアを約２倍に拡大することが可能となる。
【００１６】
実施の形態３．
図６はこの発明の実施の形態３を示す概念図であり，図７は実施の形態３の具体例を示すブロック図である。図において１〜３３は実施の形態２の図４、図５と同一のものであるので説明は省略する。
【００１７】
３４は前述の撮影部と同じ地点に設置され撮影部とは車両の進行方向の反対側に向けて設置される第３の撮影部、３５は前述の第２の撮影部と同じ地点に設置され第２の撮影部とは車両の進行方向の反対側に向けて設置される第４の撮影部、３６は第３の撮影部の撮影エリア、３７は第４の撮像部の撮影エリア、３８は上記撮影部、第２の撮影部、第３の撮影部、第４の撮影部と接続され、第２ナンバープレート読取部３３からの指令によりどの撮影部からの映像を選択するかを一定周期毎に切り替える第２の切替部を示す。第１の撮影エリア１８と第２の撮影エリア３１が道路１の上流側であるのに対して第３の撮影エリア３６と第４の撮影エリア３７は道路２の下流側である。
【００１８】
次に動作について説明する。第３及び第４の撮影部は、駐車車両の後ろ側のナンバーを読取る以外は、第１の撮像部、第２の撮像部と同様の動作をする。第３の撮影エリア３６は、第２の撮影エリア３１の下流に隣接するように設置され、また、第４の撮影エリア３７は、第３の撮影エリア３６に隣接するように設置する。道路１上を走行し駐車禁止エリアに駐車した車両３の前方に装着されたナンバープレート４および後方に装着されたナンバープレート３９は、上記第１から第４の撮影エリアのいずれかの撮影エリアに存在し、上記ナンバープレートが存在する映像信号を第１から第４の画像処理部により画像処理し、ナンバープレートを検出し、例えば１秒以上同じ位置に同一のナンバープレートが存在する場合には、そのナンバープレートの検出位置、ナンバープレートの文字読取結果、車両全体の撮影画像をディジタルデータ化したものを画像処理部に蓄積するとともに、増幅部１３にナンバープレートの文字読取結果を送信し、音声合成により駐車車両への警告を音声にて拡声部１４から発する。
【００１９】
警告後例えば、３０分経過しても同一ナンバーが同一位置で検出される場合には悪質な違法駐車と判定し、ナンバープレートの文字読取結果、ナンバプレートの検出位置、車両全体の撮影画像をディジタルデータ化したものを、上記３０分前の警告前のものとセットで回線２６を経由して中央装置２９に送信する。中央装置２９では、悪質な違法駐車車両を検出した場合に、データ蓄積部２７に検出結果を送出し、データ蓄積部２７で検出したナンバー情報と撮影画像、撮影時間をデータベース化して蓄積する。データ蓄積部２７は、第１の制御機２１および第２の制御機２６から受信したデータをデータベースに蓄積し、データ検索出力部２８からの指示により蓄積データを出力する。
【００２０】
これによって、実施の形態２に示した場合と比較して約２倍の撮影エリアに対して駐車車両の検出が可能となり、実施の形態１に比べて撮像部を固定する柱の本数を２倍にすることにより４倍の駐車禁止エリアをカバーできる。
【００２１】
実施の形態４．
図８はこの発明の実施の形態４を示す概念図であり，図９は実施の形態４の具体例を示すブロック図である。１〜３８は実施の形態３の図６、図７と同一のものであるので説明は省略する。
【００２２】
３９は第１の撮影部による第２の撮影エリアを示し、４０は第２の撮影部による第２の撮影エリアを、４１は第３の撮影部による第２の撮影エリアを、４２は第４の撮影部による第２の撮影エリアを示す。４３は第１の撮影部１８に付加され第１の撮影部１８の首を電動で振ることで撮影エリアを切替かつ適正なフォーカス、ズームとなるように電動で制御する第１の駆動部、４４〜４６はそれぞれ第３，第２、第４の撮影部に付加された第３，２，４の駆動部、４７は第２の切替部３８の切替毎に第１の駆動部４３を駆動させて、例えば近距離側の位置でナンバーを読取り、その後、遠距離側の位置でナンバープレートを読取、次に第２の駆動部を動作させ、ナンバープレートを認識し、第３、第４の駆動部に対しても同様の動作をする第３のナンバープレート読取部である。
【００２３】
次に動作について説明する。第１の駆動部４３は常に撮影エリア１９と第２の撮影エリア３９を交互に繰り返して撮影するように第１の撮影部１８の首を例えば１秒毎で電動で動かし、それに合わせてズーム、フォーカスも予め決められた適正値になるように動作する。第２〜第４の駆動部についても同様な動作をする。
【００２４】
これによって、実施の形態２に比べて４倍の撮影エリアに対して駐車車両の検出が可能となり、実施の形態３に比べて２倍の撮影エリアに対して駐車車両の検出が可能となる。
【００２５】
実施の形態５．
図１０はこの発明の実施の形態５を示す概念図であり，図１１は実施の形態５の具体例を示すブロック図である。図において１〜４６は実施の形態４の図８，図９と同一のものであるので説明は省略する。
【００２６】
４８は第２、第４のカメラよりさらに上流に設置され、第１から第４のカメラが撮影する範囲を包含するエリアを撮影する広角の動画撮影部、４９は動画撮影部４８と動画伝送部５０を接続するケーブル、５０は動画撮影部の動画像を圧縮伝送する動画伝送部、５１は動画伝送部の設置地点から中央装置８までの間を繋ぐ回線、５２は動画伝送部からの圧縮動画映像を繰り返し蓄積し、悪質な違反車両が検出された場合に駐車を開始したと予想される例えば３０分前から検出するまでの間の動画像を蓄積する動画蓄積部である。
【００２７】
次に動作について説明する。第１から第４のカメラおよび第１から第２の制御機の動作は、実施の形態３と同様である。新たに追加した動画撮影部４８は、一定周期毎に映像信号を出力し、動画伝送部５０は例えばＪｐｅｇのような画像圧縮により中央装置８まで動画を伝送する。伝送された圧縮動画像は例えば最新の３０分間連続して中央装置の動画蓄積部５２に蓄積され、第１の制御機２１または、第２の制御機２６から悪質な違法駐車車両と判定された車両３のナンバープレート検出位置情報が送信されてきた場合に蓄積された動画像データを制御機から送信されてきた警告時および警告後３０分経過時のナンバープレート検出位置情報、ナンバープレート文字読取結果、車両撮像画像とともに保存する。保存した動画像は、データ検索出力部にて出力が可能とする。
【００２８】
これにより、駐車車両のナンバープレートの画像処理を常時実施することにより検出の精度を向上すると共に予め設定した時間が経過した時点で駐車車両あるいは駐車違反車両を自動的に判定することが可能となる。また、従来は制御部を２台必要としていたが、この発明では制御部が１台で処理が可能となる。
【００２９】
【発明の効果】
この発明によれば，駐車禁止エリアに車両が駐車した場合、車両のナンバープレート読取結果およびナンバープレート検出位置から精度よく車両の停止を検出でき、また、車両の停止時および一定時間経過時のナンバープレート読取結果とナンバープレート位置と検出時刻と車両画像をセットで中央装置に伝送することにより、確実に違法駐車車両を特定することができる。
【図面の簡単な説明】
【図１】この発明による駐車車両抑止装置の実施の形態１の概念図である。
【図２】この発明による駐車車両抑止装置の実施の形態１を示すブロック図である。
【図３】この発明による駐車車両抑止装置の実施の形態１の動作の流れを説明する図である。
【図４】この発明による駐車車両抑止装置の実施の形態２の概念図である。
【図５】この発明による駐車車両抑止装置の実施の形態２を示すブロック図である。
【図６】この発明による駐車車両抑止装置の実施の形態３の概念図である。
【図７】この発明による駐車車両抑止装置の実施の形態３を示すブロック図である。
【図８】この発明による駐車車両抑止装置の実施の形態４の概念図である。
【図９】この発明による駐車車両抑止装置の実施の形態４を示すブロック図である。
【図１０】この発明による駐車車両抑止装置の実施の形態５の概念図である。
【図１１】この発明による駐車車両抑止装置の実施の形態５を示すブロック図である。
【符号の説明】
１    道路、２    駐車禁止エリア、３    車両、４    前方のナンバープレート、
５    車両進行方向、６    撮影エリア、７    駐車検出部、８  ナンバー撮影部、
９    画像処理部、１０    制御機、１１    中央装置、１２    回線、
１３    拡声部、１４    音声増幅部、１５    音声ケーブル、
１６    駐車車両記録部、１７    撮影部、１８    撮影部の撮影エリア、
１９    ナンバープレート読取部、２０    駐車車両判定部、
２１    駐車車両記録部、２２    駐車違反判定部、２３    駐車違反画像記録部、２４    伝送部、２５    制御機、２６    回線、２７    データ蓄積部
２８    データ検索出力部、２９    中央装置、３０    第２の撮影部
３１    第２の撮影部の撮影エリア、３２    切替部、
３３    第２のナンバープレート読取部    ３４    第３の撮影部、
３５    第４の撮影部、３６    第３の撮影部の撮影エリア、
３７    第４の撮影部の撮影エリア、３８    第２の切替部、
３９    第１の撮影部の第２の撮影エリア
４０    第２の撮影部の第２の撮影エリア
４１    第３の撮影部の第２の撮影エリア
４２    第４の撮影部の第２の撮影エリア
４３    第１の駆動部、４４    第３の駆動部、４５    第２の駆動部
４６    第４の駆動部、４７    第３のナンバープレート読取部、
４８  動画撮影部、４９    動画撮影部ケーブル
５０    動画伝送部、５１    動画伝送用回線、５２    動画蓄積部、５３  下流側、５４  上流側、Ｓ００１  整数ｎを０とする処理、Ｓ００２  車両画像撮影処理、
Ｓ００３  ナンバープレート検出処理、
Ｓ００４  ナンバープレート内の文字抽出処理、Ｓ００５  文字のコード化処理、
Ｓ００６  処理結果の取込処理、
Ｓ００７  前回のナンバープレート位置との比較処理、
Ｓ００８  整数ｎに１を加える処理、
Ｓ００９  駐車車両判定時間に達していないか判定処理、
Ｓ０１０  駐車車両判定処理、
Ｓ０１１  違反駐車車両判定比較処理、
Ｓ０１２  駐車画像記憶部内メモリへのデータ記憶処理、
Ｓ０１３  駐車車両として駐車車両への警告処理、
Ｓ０１４  駐車違反画像記憶部内メモリへのデータ記憶処理、
Ｓ０１５  駐車違反車両として撮影時刻および３０分前のデータとセットにして中央装置への出力処理
【図１】
2004288113.tif 000003
【図２】
2004288113.tif 000004
【図３】
2004288113.tif 000005
【図４】
2004288113.tif 000006
【図５】
2004288113.tif 000007
【図６】
2004288113.tif 000008
【図７】
2004288113.tif 000009
【図８】
2004288113.tif 000010
【図９】
2004288113.tif 000011
【図１０】
2004288113.tif 000012
【図１１】
2004288113.tif 000013